(57)【要約】【課題】  軒先部分に一段低い下段屋根を形成してその上に横樋を配置することによって、シーリングを施すことなく内樋と同様の美観を得る雨樋付き屋根構造を提供すること。【解決手段】  建物の上部に設置される上段屋根と、その上段屋根から縁部側に突設された上段屋根水切を有した屋根構造において、前記上段屋根水切部分に上段屋根から段差を形成して一段低い下段屋根を配置し、前記上段屋根の縁部側に沿って下段屋根の上面に、上段屋根の勾配を流下する雨水を受け止める横樋を配設した。【選択図】        図１
2007204975.tif 000002
【特許請求の範囲】
【請求項１】
建物の上部に設置される上段屋根と、その上段屋根から縁部側に突設された上段屋根水切を有した屋根構造において、
前記上段屋根水切部分に上段屋根から段差を形成して一段低い下段屋根を配置し、
前記上段屋根の縁部側に沿って下段屋根の上面に、上段屋根の勾配を流下する雨水を受け止める横樋を配設したことを特徴とする雨樋付き屋根構造。
【請求項２】
前記横樋に流れ込む雨水を排水する縦樋を、下段屋根を貫通して垂下させたことを特徴とする請求項１記載の雨樋付き屋根構造。
【請求項３】
前記下段屋根を貫通させる位置は、前記垂下させた縦樋が前記建物の側壁に沿って留め具により固定可能な位置であることを特徴とする請求項２に記載の雨樋付き屋根構造。
【請求項４】
前記上段屋根と下段屋根との段差の部分に留め具を取付け、その留め具によって横樋を固定する構成とした請求項１ないし３いずれか１つに記載の雨樋付き屋根構造。
【発明の詳細な説明】
【技術分野】
【０００１】
本発明は雨樋付き屋根構造に関し、特に、軒先部分に一段低い下段屋根を形成してその上に横樋を配置することによって、シーリングを施すことなく内樋と遜色ない美観を得る雨樋付き屋根構造に関する。
【背景技術】
【０００２】
建物の屋根には勾配を流下する雨水を受け止める雨樋が配置されている。この雨樋としては、屋根の軒先端縁に沿って樋を設けた、いわゆる、軒樋に代表される外樋が採用されている。
近年では、この外樋のほかに、屋根の軒先側端縁よりやや上方位置に雨樋を収納した、いわゆる、内樋が採用されており、この内樋は外部から雨樋が見えないので外観上の体裁がよく、屋根及び建築物の意匠性を向上させる効果があり、高級指向の建物屋根に多く取り入れられている。
そして、このような内樋に関する技術として、例えば、実開昭５８−１１５２７号公報、特許第２５０５０９１号公報記載の技術が知られている。
【特許文献１】実開昭５８−１１５２７号公報
【特許文献１】特許第２５０５０９１号公報
【発明の開示】
【発明が解決しようとする課題】
【０００３】
前記公報記載の内樋屋根は、堆積物、枯葉、ビニール袋等の飛来物による排水口の詰まりや豪雨等により樋本体がオーバーフローする事態になると、内樋と屋根の接続部分から雨水が浸入して漏水事故を招くという問題があった。
特に、内樋本体は屋根に埋め込まれた状態であるため、樋の長さ全長に渡って確実なシーリングが必要となる。
これらのシーリングは太陽光や紫外線の照射、あるいは風雨による浸食により劣化し、劣化部分から漏水事故を生じるおそれがある。そのため、長期にわたって確実な防水効果を得ることは困難である。
本発明は係る従来の問題点を解決するためになされたものであって、その目的とするところは、軒先部分に一段低い下段屋根を形成してその上に屋根と一体に見える横樋を配置することによって、シーリングを施すことなく内樋と同様の美観を得る雨樋付き屋根構造を提供することにある。
【課題を解決するための手段】
【０００４】
前記目的を達成するための手段として、請求項１記載の雨樋付き屋根構造では、建物の上部に設置される上段屋根と、その上段屋根から縁部側に突設された上段屋根水切を有した屋根構造において、前記上段屋根水切部分に上段屋根から段差を形成して一段低い下段屋根を配置し、前記上段屋根の縁部側に沿って下段屋根の上面に、上段屋根の勾配を流下する雨水を受け止める横樋を配設したことを特徴とする。
【０００５】
請求項２記載の雨樋付き屋根構造では、請求項１記載の雨樋付き屋根構造において、前記横樋に流れ込む雨水を排水する縦樋を、下段屋根を貫通して垂下させたことを特徴とする。
請求項３記載の雨樋付き屋根構造では、前記下段屋根を貫通させる位置は、前記垂下させた縦樋が前記建物の側壁に沿って留め具により固定可能な位置とした。
【０００６】
請求項４記載の雨樋付き屋根構造では、請求項１ないし３いずれか１つに記載の雨樋付き屋根構造において、前記上段屋根と下段屋根との段差の部分に留め具を取付け、その留め具によって横樋を固定する構成とした。
【発明の効果】
【０００７】
前記構成を採用したことにより、本発明では次の効果を有する。
請求項１記載の雨樋付き屋根構造では、上段屋根から段差を形成して一段低い下段屋根を配置し、前記上段屋根の縁部側に沿って下段屋根の上面に、上段屋根の勾配を流下する雨水を受け止める横樋を配設したので、横樋と上段屋根が一体となった意匠性の高い外観が得られる。
また、横樋から雨水がオーバーフローした場合であっても、下段屋根上を流れて排水されることになる。そのため、雨樋と屋根部とのシーリングを必要とせず、高い防水性能が得られる。
【０００８】
請求項２記載の雨樋付き屋根構造では、前記横樋に流れ込む雨水を排水する縦樋を、下段屋根を貫通して垂下させたので、縦樋の配設が簡略化されると共に、建物の側壁ラインに平行なすっきりとした外観が得られる。
請求項３記載の雨樋付き屋根構造では、前記下段屋根を貫通させる位置は、前記垂下させた縦樋が前記建物の側壁に沿って留め具により固定可能な位置としたので、建物の側壁から乖離することがなく、建物の壁面ラインに平行なすっきりとした外観が得られる。
【０００９】
請求項３記載の雨樋付き屋根構造では、上段屋根と下段屋根との段差の部分に留め具を取付け、その留め具によって横樋を固定する構成としたので、段差部分を利用して外部に露出せずに留め具を固定できる。
【発明を実施するための最良の形態】
【００１０】
以下、図面に基づいて本発明の雨樋付き屋根構造を実現する最良の形態を説明する。
【実施例１】
【００１１】
本発明の第１実施例に係る雨樋付き屋根構造は図１〜４に示すように、建物の上側に設置される上段屋根１と、その上段屋根１から下り勾配を持って下縁に突設された上段屋根水切２と、その上段屋根水切部分に段差を有して一段低く形成された下段屋根３と、その段差部分に配置された横樋４と、建物の側壁２７に沿って垂下され横樋４に流れ込んだ雨水を排出する縦樋５を主要な構成としている。
下段屋根３は建物の側壁２７から外側に突設した屋根であり、この軒先部分は上段屋根に段差を介して略同一勾配で連続している。
本発明では、同一勾配の傾斜屋根の他、湾曲面で連続したボールト屋根等に適用することができる。
前記上段屋根１への降雨は勾配を流下して下縁に沿って配置された横樋４に流れ込み、横樋４に流れた雨水は縦樋５から排出される。このとき、縦樋５が下段屋根３を貫通する位置は、垂下させた縦樋５が建物の側壁２７に沿って留め具５ａにより固定可能な位置とされている。よって、上段屋根水切２の先端部から側壁２７側へ屈曲させる必要が無く、すっきりとした外観を達成している。
【００１２】
前記上段屋根１は垂木等に固定された野地板６と、その野地板６上に貼設された屋根パネル７を有して構成されている。そして、この屋根パネル７としてはステンレス鋼板、アルミ合金板、チタン合金板、銅板、メッキ鋼板等の耐腐食性金属板が使用される。
前記屋根パネル７は縦長の金属パネルを勾配方向に配設したものであり、隣接する屋根パネル同士はかしめによる堅リブ８によって連結されている。
前記下段屋根３は、上段屋根と同様に野地板９上に屋根パネル１０を貼設した構成であり、屋根パネル１０は上段屋根と同様の金属パネルからなり、この下段屋根パネルは平葺きリブかしめで平板状としている。
【００１３】
前記横樋４は上段屋根の下端全長に渡って配置された雨水の受け止め溝構造であり、上面が開口した横長箱状に形成されている。
横樋４本体は金属素材等をベンダー成形等によって形成するが、樋本体を長手方向に繋ぐ場合は、シール、パッキン等により緊結し、あるいは溶着等により連結する。樋部形状は上面が開口した溝状であれば適用可能である。
また、横樋４の断面は図２に示すように、勾配ラインの下流側に突設された横樋垂直壁１１と、その横樋垂直壁１１の下端から上流側へ延びる横樋傾斜側壁１２を有している。そして、垂直壁１１の上端と横樋傾斜側壁１２の上端の間が開口部となり、この開口部の幅は段差の直下から１０〜１５ｃｍ程度先方に広がっている。
また、横樋垂直壁１１の上端が横樋の満水ラインとなるため、堆積物等によって排水口が詰まった場合にはこの横樋垂直壁１１を超えて雨水がオーバーフローするが、このオーバーフロー雨水は下段屋根３上を流れて排水されることになる。
従来の内樋では屋根に凹溝状の樋構造を形成する埋め込まれた構成のためオーバーフローラインと屋根溝内横方向のつなぎ、コーナーなど長く多数箇所のシーリングが必要であったが、本発明ではオーバーフローした雨水は下段屋根３上に流れて排水されることになるので、屋根と雨樋とのシーリングを必要としない。
尚、２６は横樋の両端に配置されるエンド堤である。
【００１４】
前記横樋４の端部には雨水の排出孔１３が形成されて、この排出孔１３には縦樋５へのジョイントパイプ１４が下方に突設している。
また、下段屋根３には縦樋が通過する防水孔１５が形成され、縦樋５はこの防水孔１５を貫通して垂下している。防水孔１５の上端周囲にはフランジ１６が形成されてそのフランジ１６をねじ１７によって野地板９に固定している。
前記横樋４のジョイントパイプ１４を縦樋５の上端に挿入することにより、横樋４と縦樋５の接続が行われる。
【００１５】
前記横樋４は段差部分１８に所定の間隔をもって配置された止め金１９によって固定されている。
この留め金１９は基部が段差部分１８の傾斜に固定されたものであり、基部がねじ２０によって段差に挿通固定され、その基部から水平に止め金１９が延び、先端は横樋４の縁に達して固着されている。
この止め金は屋根側と横樋側の二枚をボルト２２によって貼り合わせた構成であり、ボルト位置を調整して止め金１９の長さを調整できるようになっている。
【００１６】
この段差部分１８は上段屋根１の勾配から直角に下に折れ曲がり、下に折れ曲がった後に、下段屋根３がさらに直角に折れ曲がって接続している。そのため、段差部分はＺ型に内側に折れ曲がった形状となっている。
また、上段屋根１の屋根パネル７は野地板６から先端が突設して段差部分１８の上方に先端が被って上段屋根水切２が庇形状を成している。そして、段差の直下に配置された横樋４の開口部に上段屋根水切２の庇形状先端が被さり、風の吹き込み影響を受けにくい構造となっている。
また、上段屋根１から流下する雨水は上段屋根水切２の庇形状によって開口部の中央部分に導かれることになる。
【実施例２】
【００１７】
次に、図５は第２実施例に係る雨樋付き屋根構造の断面図である。
第２実施例に係る雨樋付き屋根構造は、横樋の下流側底面２４を堆積物を生じない程度の微少勾配をもたせたものである。
前記第１実施例では、横樋の下流端から横樋垂直壁１１を突設したが、この垂直壁１１を底面を形成してやや下流側にスライドさせた構成である。
第２実施例の雨樋付き屋根構造では横樋底面２４と下段屋根３との間に隙間２５が生じるので、下段屋根３の勾配・形状に柔軟に対応することが可能となる。
開口部に流れ込んだ雨水は第１実施例と同様に、ジョイントパイプ１４を介して縦樋５から排出されることになる。
【００１８】
次に本発明の作用を説明する。
建物の駆体を形成し、屋根部には垂木、野地板等を設置し、その上面に屋根パネル７，１０を貼設する。
上段屋根水切２下には段差部分１８を形成して、略同一勾配の下段屋根３を形成する。
上段屋根１と下段屋根３との段差部分１８に横樋４を配設して留め金１９によって固定する。
一方、縦樋５は下段屋根３を垂直に貫通して、その上端に、横樋４のジョイントパイプ１４を挿入させる。
これによって、横樋４の開口部は上段屋根１の下端に沿って配置されるので、上段屋根１を流下する雨水は横樋４に受け止められて縦樋５から排出される。
排出口が堆積物等によって詰まった場合、あるいは大量の降雨では、横樋４から雨水がオーバーフローする場合があるが、このオーバーフロー雨水は下段屋根３上に排出されるので、漏水事故のおそれはない。
本発明では、上段屋根１の下端に横樋４を配置するので、上段屋根１と横樋４が一体となった外観が得られ、また、留め金１９を段差部分１８に固定するので、外部に露出せずに美しい美観が維持される。
【００１９】
次に、本発明を適用した住宅の施工状態について説明する。
図６〜７は雨樋付き屋根構造を適用した住宅の外観を示している。
尚、図中矢印は前面道路側または外部から進入方向を示し、視線が集まる例を表す。
図６（ａ）は、寄せ棟屋根において、建物の四方の屋根に横樋を接続配設し、縦樋を妻側入口から見えにくい桁側面に配置している。
図６（ｂ）は、切り妻屋根において、建物の桁側屋根に横樋を配設し、縦樋を妻側正面から見えにくい桁側面に配置している。
図６（ｃ）は、方形屋根において、建物屋根の四方に横樋を接続配設し、縦樋を妻側正面から見えにくい側面に配置している。
図６（ｄ）は、葺き下ろし屋根において、建物の桁側屋根に横樋を配設し、縦樋を妻側正面から見えにくい桁側面に配置している。
図６（ｅ）は、超し屋根において、建物の桁側屋根に横樋を配設し、縦樋を正面から見えにくい桁側面に配置している。
図６（ｆ）は、Ｔ字屋根において、建物屋根の側面及び背面に横樋を配置し、縦樋をＴ字足妻正面から見えにくい側面及び背面に配置している。
図６（ｇ）は、半切り妻屋根において、建物屋根の桁側面に横樋を配設し、縦樋を妻側正面から見えにくい桁側面に配置している。
図６（ｈ）は、棟違い屋根において、建物屋根の桁側面及び背面に横樋を配置し、縦樋を妻側正面から見えにくい桁側面及び背面に配置している。
図６（ｉ）は、乗り超し屋根において、建物屋根の桁側面に横樋を配置し、縦樋を桁正面から見えにくい妻側面及び背面に配置している。
図６（ｊ）は、錣（しころ）屋根において、建物屋根の四方に横樋を配設し、縦樋を妻側正面から見えにくい桁側面に配置している。
図６（ｋ）は、逆腰折れ屋根において、建物屋根の桁側面に横樋を配設し、縦樋を妻側正面から見えにくい桁側面に配置している。
図７（ｌ）は、陸屋根において、建物屋根の桁側面に横樋を配設し、縦樋を妻側正面から見えにくい側面に配置している。尚、この場合の陸屋根は緩勾配で屋根面積を２分しているものである。
図７（ｍ）は、入母屋屋根において、建物屋根の四方に横樋を配設し、縦樋を妻側正面から見えにくい桁側面に配置している。
図７（ｎ）は、片流れ屋根において、建物屋根の桁側勾配下に横樋を配設し、縦樋を妻側正面から見えにくい水勾配下の桁側面に配置している。
図７（ｏ）は、招き屋根において、建物屋根の桁側面に横樋を配設し、縦樋を妻側正面から見えにくい桁側面に配置している。
図７（ｐ）は、マンサード屋根において、建物屋根の四方に横樋を配設し、縦樋を正面から見えにくい側面に配置している。
図７（ｑ）は、下屋付き屋根において、建物屋根の桁側面に横樋を配設し、縦樋を妻側正面から見えにくい桁側面に配置している。
図７（ｒ）は、反り屋根において、建物屋根の桁側面に横樋を配設し、縦樋を妻側正面から見えにくい桁側面に配置している。
図７（ｓ）は、腰折れ屋根において、建物屋根の桁側面に横樋を配設し、縦樋を妻側正面から見えにくい桁側面に配置している。
図７（ｔ）は、むくり屋根において、建物屋根の桁側面に横樋を配設し、縦樋を妻側正面から見えにくい桁側面に配置している。
図７（ｕ）は、ボールト屋根において、建物屋根の桁側面に横樋を配設し、縦樋を妻側正面から見えにくい桁側面に配置している。
【００２０】
以上、実施例を説明したが、本発明の具体的な構成は前記実施例に限定されるものではなく、発明の要旨を逸脱しない範囲の設計変更等があっても本発明に含まれる。
例えば、前記実施例では金属パネルの屋根について説明したが、金属パネルの他、スレート屋根、瓦屋根に適用することも可能である。
【図面の簡単な説明】
【００２１】
【図１】横樋の設置状態を示す斜視図である。
【図２】横樋と縦樋の接続部分の断面図である。
【図３】横樋と縦樋の接続部分の正面図である。
【図４】横樋と縦樋の接続部分の平面図である。
【図５】第２実施例に係る横樋と縦樋の接続部分の断面図である。
【図６】本発明を適用した住宅の外観（ａ〜ｋ）を示す説明図である。
【図７】本発明を適用した住宅の外観（ｌ〜ｕ）を示す説明図である。
【符号の説明】
【００２２】
１  上段屋根
２  上段屋根水切
３  下段屋根
４  横樋
５  縦樋
６  野地板
７  屋根パネル
８  リブ
９  野地板
１０  屋根パネル
１１  横樋垂直壁
１２  横樋傾斜側壁
１３  排出孔
１４  ジョイントパイプ
１５  防水孔
１６  フランジ
１７  ねじ
１８  段差部分
１９  止め金
２０  ねじ
２２  ボルト
２４  横樋底面
２５  横樋隙間
２６  エンド堤
２７  壁面
【図１】
2007204975.tif 000003
【図２】
2007204975.tif 000004
【図３】
2007204975.tif 000005
【図４】
2007204975.tif 000006
【図５】
2007204975.tif 000007
【図６】
2007204975.tif 000008
【図７】
2007204975.tif 000009